(57)【特許請求の範囲】
【請求項１】
クッション性の座部および、この座部から下側に延在するとともに左右幅が座部よりも小さいクッション性の脚部を具備するクッション体と、
このクッション体の脚部の下面と対向する底板、前記クッション体の脚部の後部側面と対向する側板、および、前記クッション体の座部の後部縁部の下面と対向するフランジを具備し前面が開口している硬質性の支持体とを備えていることを特徴とする正座用椅子。
【請求項２】
クッション性の座部および、この座部から下側に延在するとともに左右幅が座部よりも小さいクッション性の脚部を具備するクッション体と、
このクッション体の脚部の下面と対向する底板、前記クッション体の脚部の後部側面と対向する側板、および、前記クッション体の座部の後部縁部の下面と対向するフランジを具備し前面が開口している硬質性の支持体と、
前記クッション体および前記支持体の全体を覆う柔軟なカバーとを備えていることを特徴とする正座用椅子。
【請求項３】
前記クッション体の後部の下面には、第１面ファスナーが設けられ、
前記支持体の底板の上面には前記第１面ファスナーに係脱する対となる第２面ファスナーが設けられ、
前記支持体の底板の下面には第３面ファスナーが設けられ、
前記カバーの底壁の内面には前記第３面ファスナーに係脱する対となる第４面ファスナーが設けられていることを特徴とする請求項２記載の正座用椅子。
【請求項４】
前記クッション性座部が、平面図示で前部をカットした前後方向に細長い略長円形状であることを特徴とする請求項１，２または３記載の正座用椅子。
【請求項５】
前記クッション体が注排気可能な空気袋で構成されていることを特徴とする請求項１，２，３または４記載の正座用椅子。
【請求項６】
前記空気袋の内部に中空支柱が設けられ、
この中空支柱は、上端が前記空気袋の天壁の下面に固定され、かつ、下端が前記空気袋の底壁の上面に固定されているとともに、中空支柱の内部空間と中空支柱の外部空間とを導通する空気孔が設けられていることを特徴とする請求項５記載の正座用椅子。
【請求項７】
前記カバーには、天壁の略後端から天壁の前端を通って前壁の略下端に達する切れ目が設けられ、
この切れ目には、スライダーがカバーの天壁の略後端に位置するときに開で、スライダーがカバーの前壁の略下端に位置するときに閉の開閉用チャックが設けられ、
かつ、前記空気袋の空気注入口が、空気袋の脚部の前部に設けられていることを特徴とする請求項５または６記載の正座用椅子。
【発明の詳細な説明】
【０００１】
【発明の属する技術分野】
本発明は、足が痺れないように正座時に用いられる正座用椅子に関する。
【０００２】
【従来の技術】
従来の正座用椅子は、座部が板で、脚部が鉄パイプなどで構成されている。また、座部が長円形や四角形で構成されている。
【０００３】
【発明が解決しようとする課題】
ところで、正座用椅子の座部は、尻が載るので出来るだけ広い方が良いが、足が邪魔になったり、見栄えが悪くなったりするので、左右の幅を大きくすることができない。そのため、前後方向に細長く形成されている。しかしながら、座部が長円や四角形であると、男性が使用した際に、座部の前端部で陰嚢（ふぐり）が圧迫される。そして、長時間使用すると、気分が悪くなる。また、座部が板で、脚部が鉄パイプなどで構成されていると、重量があるとともに嵩張り、持ち運びに不便である。さらに、クッション性が低く、座り心地が良くない。
【０００４】
本発明は、以上のような課題を解決するためのもので、長時間の使用や持ち運びに最適な正座用椅子を提供することを目的とする。
【０００５】
【課題を解決するための手段】
本願の発明の正座用椅子は、クッション性の座部（６）および、この座部から下側に延在するとともに左右幅が座部よりも小さいクッション性の脚部（７）を具備するクッション体（１）と、このクッション体の脚部の下面と対向する底板（２１）、クッション体の脚部の後部側面と対向する側板（２２）、および、クッション体の座部の後部縁部の下面と対向するフランジ（２３）を具備し前面が開口している硬質性の支持体（２）とを備えている。
平面図示で前部をカットした前後方向に細長い略長円形状のクッション性座部（６）および、この座部から下側に延在するとともに、左右幅が座部よりも小さいクッション性の脚部（７）を具備するクッション体（１）を備えている。
【０００６】
また、クッション体および支持体の全体を覆う柔軟なカバー（３）とを備えている場合がある。
【０００７】
そして、クッション体の後部の下面には、第１面ファスナー（１３）が設けられ、支持体の底板の上面には前記第１面ファスナーに係脱する対となる第２面ファスナー（２７）が設けられ、支持体の底板の下面には第３面ファスナー（２８）が設けられ、カバーの底壁の内面には前記第３面ファスナーに係脱する対となる第４面ファスナー（３１）が設けられている場合がある。
【０００８】
さらに、クッション性座部が、平面図示で前部をカットした前後方向に細長い略長円形状である場合がある。
【０００９】
また、クッション体が注排気可能な空気袋で構成されている場合がある。
さらに、空気袋の内部に中空支柱（８）が設けられ、この中空支柱は、上端が前記空気袋の天壁の下面に固定され、かつ、下端が前記空気袋の底壁の上面に固定されているとともに、中空支柱の内部空間と中空支柱の外部空間とを導通する空気孔（９）が設けられている場合がある。
【００１０】
そして、カバーには、天壁の略後端から天壁の前端を通って前壁の略下端に達する切れ目（３２）が設けられ、この切れ目には、スライダー（３４）がカバーの天壁の略後端に位置するときに開で、スライダーがカバーの前壁の略下端に位置するときに閉の開閉用チャック（３３）が設けられ、かつ、空気袋の空気注入口（１１）が空気袋の脚部の前部に設けられている場合がある。
【００１１】
【発明の実施の形態】
次に、本発明における正座用椅子の実施の一形態を図１ないし図４を用いて説明する。図１は本発明における正座用椅子の組み立て分解斜視図である。図２は図１のクッション体の説明図で、（ａ）が平面図、（ｂ）が側面図である。図３はクッション体の底面図である。図４は支持体の平面図である。なお、図２ないし図４において、左側が正座用椅子の前側となる。
【００１２】
正座用椅子は、空気クッション体としての空気袋１と、空気袋１の後部に取り付けられて空気袋１の形状を保持する支持体２と、支持体２が取り付けられた空気袋１の全体を覆う柔軟なカバー３とからなっている。空気袋１は外郭が軟質樹脂〔たとえば、ＰＶＣ（ポリ塩化ビニール）など〕のシートで形成され、上部が座部６で、この座部６の下側に脚部７が下方に延在している。空気袋１の座部６は、平面図示、前端部がカットされた前後方向に細長い長円に略形成されている。空気袋１の脚部７は座部６よりも、左右幅および前後長さが小さくなっている。そして、座部６と脚部７との間には座部６の周縁部（特に後側の周縁部）に段部が形成されている。また、空気袋１の内部には、軟質樹脂製の中空支柱８が所謂中吊りとして設けられ、この中空支柱８は、上端が空気袋１の天壁の中央部の下面に溶着や接着などで固定され、かつ、下端が空気袋１の底壁の中央部の上面に溶着や接着などで固定されている。そして、中空支柱８の内部空間と中空支柱８の外部空間（空気袋１の内部空間）とを導通する空気孔９が複数、中空支柱８に設けられている。空気袋１に空気が注入された際に、空気袋１の天壁が丸く上方に突出することをこの中空支柱８で防止している。また、空気袋１の脚部７の前壁には空気注入口としての空気吹込口１１が形成されている。この空気吹込口１１には蓋１２が取り付けられ、この蓋１２で空気袋１を気密とすることができる。さらに、脚部７の後端部下面には、第１面ファスナーとしての面ファスナー（ベルクロファスナー）１３が取り付けられている。
【００１３】
支持体２は硬質樹脂で形成され、空気袋１の脚部７の後部下面と対向する底板２１と、この底板２１の左右縁部および後縁部から立ち上がる側板２２と、この側板２２の上端から略水平に外側に突出するフランジ２３とからなり、側板２２は空気袋１の脚部７の後部側面と対向し、フランジ２３は空気袋１の座部６の後部縁部の下面と対向する。そして、底板２１には、中央部に軽め孔２６が形成されているとともに、後端部の上面に第２面ファスナーとしての面ファスナー２７が、また、後端部の下面に第３面ファスナーとしての面ファスナー２８がそれぞれ取り付けられている。底板２１の上面の面ファスナー２７は、空気袋１の面ファスナー１３と対となっており、空気袋１と支持体２とを位置決めしている。
【００１４】
カバー３は布、レザーなどの柔軟なシートで形成されており、支持体２が取り付けられている空気袋１の全体を覆うことができる。このカバー３の底壁の内面には、支持体２の底板２１の下面の面ファスナー２８と対となっている面ファスナー３１が取り付けられている。この第４面ファスナーである面ファスナー３１は、第３面ファスナーである面ファスナー２８と協同して、支持体２とカバー３とを位置決めしている。また、カバー３には、天壁の後端から天壁の前端を通って前壁の下端に達する切れ目３２が設けられ、この切れ目３２には開閉用チャック３３が設けられている。そして、開閉用チャック３３のスライダー３４がカバー３の天壁の後端に位置するときに開で、スライダー３４がカバー３の前壁の下端に位置するときに閉となっている。
【００１５】
この様に構成されている正座用椅子を持ち運ぶ際には、空気袋１の空気を抜いておき、コンパクトな状態にする。一方、使用する際には、空気吹込口１１から空気を空気袋１内に吹き込む。すると、空気袋１内には、内部を気密に区画する隔壁は設けられていないので、脚部７および座部６の両者に同時に空気を注入することができる。また、空気袋１内部の中空支柱８には、空気孔９が設けられているので、中空支柱８内にも空気が注入される。空気注入時における空気袋１の天壁の上方への突出は、中空支柱８で規制されており、空気袋１の上面は極力略平坦となっている。そして、空気袋１の面ファスナー１３と支持体２の面ファスナー２７とで位置決めた状態で、空気袋１の脚部７の後部に支持体２を取付ける。ついで、カバー３の面ファスナー３１を支持体２の面ファスナー２８に係合させて位置決めし、カバー３で支持体２および空気袋１を包み込み、開閉用チャック３３で空気袋１の切れ目３２を閉じる。
【００１６】
したがって、使用時には、空気袋１および支持体２はカバー３で覆われており、見えることはなく、カバー３のみが見える。そのため、外観や感触が良好となる。そして、正座する人は、その尻を座部６上に載置するとともに、正座用椅子の脚部７を挟む状態で、両足を脚部７の両サイドに配置して座る。正座している人の荷重は空気袋１に加わり、空気袋１がその荷重を支持する。空気袋１の脚部７の変形は支持体２の側板２２で防止している。また、人の荷重の一部は、座部６を介してフランジ２３に加わり、支持体２で支持される。したがって、座部６の後部が下方に下がることは、支持体２で防止されている。
【００１７】
ところで、正座用椅子の使用中に空気が抜けることがあるが、その際には、スライダー３４を少し上方にスライドさせて、空気吹込口１１を露出させ、空気吹込口１１から空気を補充する。また、正座用椅子の使用後は、空気袋１の空気を抜いて、コンパクトにする。
【００１８】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）前記実施の形態においては、支持体２は樹脂で構成されているが、硬質であれば、その材質は適宜選択可能でたとえば、アルミなどの金属や木材などで構成することも可能である。
（２）クッション体は空気袋で構成されているが、発泡樹脂からなるクッション材などで構成することも可能である。たとえば、低反発性の発泡樹脂（たとえば、ウレタンフォームなど）で構成することも可能である。この発泡樹脂としてカテキン入りのものを採用することも可能であり、消臭や殺菌効果を奏することができる。座部および脚部は、クッション性を有していれば（すなわち、クッション機能を具備していれば）、良く、その構造は適宜変更可能である。
（３）クッション体の形状などは、請求の範囲に明記されていない限りは適宜変更可能である。特に、座部６の前端部は必ずしもカットされている必要はない。
（４）カバー３に持ち手を設けることも可能である。
【００１９】
【発明の効果】
本願の正座用椅子によれば、クッション体の脚部の下面と対向する底板、クッション体の脚部の後部側面と対向する側板、および、クッション体の座部の後部縁部の下面と対向するフランジを具備する硬質性の支持体とを備えているので、支持体でクッション体の脚部の形状を保持することができるとともに、支持体のフランジにより尻の荷重を支持することができる。そして、正座の際には、前に倒れることは少なく、一方、後ろには不安定である。したがって、支持体を脚部の後部にのみ設けることにより、安定性を確保するとともに、支持体の大きさを極力小さくしてコンパクトにすることができる。
【００２０】
また、クッション体および支持体の全体を覆う柔軟なカバーとを備えている場合には、クッション体や支持体が露出せず、見栄えや感触が良好となる。
【００２１】
そして、クッション体の後部の下面には、第１面ファスナーが設けられ、支持体の底板の上面には前記第１面ファスナーに係脱する対となる第２面ファスナーが設けられ、支持体の底板の下面には第３面ファスナーが設けられ、カバーの底壁の内面には前記第３面ファスナーに係脱する対となる第４面ファスナーが設けられている場合には、面ファスナーでクッション体、支持体およびカバーが位置決めされ、組み立て作業が容易となるとともに、使用中に位置ズレすることを防止することができる。
【００２２】
さらに、クッション性座部が、平面図示で前部をカットした前後方向に細長い略長円形状である場合には、正座する際に邪魔にならないように横幅を狭くすることができるとともに、前後方向の長さを極力長くして座部の面積を確保することができる。しかも、座部の前端部が、カットされているので、陰嚢が圧迫されることが減少し、長時間の使用でも気分が悪くなることを極力防止することができる。
【００２３】
さらに、空気袋の内部に中空支柱が設けられ、この中空支柱は、上端が前記空気袋の天壁の下面に固定され、かつ、下端が前記空気袋の底壁の上面に固定されているとともに、中空支柱の内部空間と中空支柱の外部空間とを導通する空気孔が設けられている場合には、中空支柱により、空気袋の上面を極力平坦とすることができるとともに、空気孔により空気袋への注気とともに中空支柱内に注気することができる。その結果、座りごごちが良好となる。
【００２４】
そして、カバーには、天壁の略後端から天壁の前端を通って前壁の略下端に達する切れ目が設けられ、この切れ目には、スライダーがカバーの天壁の略後端に位置するときに開で、スライダーがカバーの前壁の略下端に位置するときに閉の開閉用チャックが設けられ、かつ、空気袋の空気注入口が空気袋の脚部の前部に設けられている場合には、空気補充時には、スライダーをカバーの前壁の下端から少し上方にスライドさせるだけで、空気注入口を露出させることができる。したがって、空気の補充作業が容易となる。
【図面の簡単な説明】
【図１】  図１は本発明における正座用椅子の組み立て分解斜視図である。
【図２】  図２は図１のクッション体の説明図で、（ａ）が平面図、（ｂ）が側面図である。
【図３】  図３はクッション体の底面図である。
【図４】  図４は支持体の平面図である。
【符号の説明】
１  空気袋（クッション体）
２  支持体
３  カバー
６  クッション体の座部
７  クッション体の脚部
８  中空支柱
９  空気孔
１１  空気吹込口（空気注入口）
１３  面ファスナー（第１面ファスナー）
２１  支持体の底板
２２  支持体の側板
２３  支持体のフランジ
２７  面ファスナー（第２面ファスナー）
２８  面ファスナー（第３面ファスナー）
３１  面ファスナー（第４面ファスナー）
３２  カバーの切れ目
３３  開閉用チャック
３４  開閉用チャックのスライダー
【図１】
0004559597.tif 000002
【図２】
0004559597.tif 000003
【図３】
0004559597.tif 000004
【図４】
0004559597.tif 000005